(57)【要約】      （修正有）【課題】従来の捕獲装置は構造的に頑強であることが求められているため、捕獲の仕掛けが露出し対象の獣に警戒されることが多く、捕獲率が低いといった課題と、捕獲対象獣類の大きさをコントロールすることができず、成獣から幼獣類まで捕獲してしまうという課題があった。【解決手段】檻１の内部に水平に設置されたカモフラージュが容易な高さ４ｃｍを上限とする踏み板２ａを対象獣類が踏み込むと、捕獲対象獣類の重量に対応したばね定数の引張りコイルばねを利用して、捕獲する獣類の下限重量をコントロールできる構造とした動物捕獲装置である。【選択図】図１
2007037524.tif 000002
【特許請求の範囲】
【請求項１】
本発明は、両入り口方向に獣類の進入口を備えた檻と、自重で垂直落下して進入路を閉鎖する扉と檻の床に水平に設置された高さ４ｃｍを上限とする踏み板と踏み板の踏み込み距離と連動した支え枠と、支え枠の一端から連結ピンを介して踏み板の自重で張力が生じた状態のキーピン引き外しワイヤとキーピン引き外しワイヤの先端に１対の扉を開放状態に維持するキー溝に収まったキーピンとキーピンで水平状態に固定された１対のシャフト押さえ板とばねの力によって水平の状態に維持されたシャフト支えシャーシを支点とする１対の扉押さえシャフトで構成される動物捕獲装置である。
【請求項２】
また、上記構成において、踏み板の重量と均衡を保たせるため、支え枠の他端から連結ピンを介して踏み板を水平に保持する引張りコイルばね付きワイヤのばね定数を変えることで、捕獲する獣類の下限重量をコントロールできる構造となる。
【発明の詳細な説明】
【技術分野】
【０００１】本発明は猪等の獣類の捕獲装置に関する。
【背景技術】
【０００２】従来、猪、鹿、熊等の大型獣類を捕獲する装置としては、檻の一端に進入口備え、内部に獣類が進入したことを、電気的、光学的あるいは機械的に検知して、扉を落下させ、捕獲する構成の檻が知られている。これらの檻は、踏み板を踏み下げることあるいは、内部の掛止物に引っ掛かることによって扉を自動的に閉鎖する構成である。
【発明の開示】
【発明が解決しようとする課題】
【０００３】しかしながら、前記従来の捕獲装置は構造的に頑強であることが求められているため、捕獲の仕掛けが露出し対象の獣に警戒されることが多く、捕獲率が低いといった課題と、捕獲対象獣類の大きさをコントロールすることができず、成獣から幼獣類まで捕獲してしまうという課題があった。本発明は、この実情に鑑みてなされたもので、捕獲装置の仕掛けをカモフラージュし易く、目的とする捕獲対象獣の重量に合せることができる仕掛け装置を、一般の檻に容易に取り付けるオプションとして販売することで安価に提供するものである。
【課題を解決するための手段】
【０００４】上記課題を解決するために、本発明は、両入り口方向に獣類の進入口を備えた檻と、自重で垂直落下して進入路を閉鎮する扉と檻の床に水平に設置された高さ４ｃｍを上限とする踏み板と踏み板の踏み込み距離と連動した支え枠と、支え枠の一端から連結ピンを介して踏み板の自重で張力が生じた状態のキーピン引き外しワイヤとキーピン引き外しワイヤの先端に１対の扉を開放状態に維持するキー溝に収まったキーピンとキーピンで水平状態に固定された１対のシャフト押さえ板とばねの力によって水平の状態に維持されたシャフト支えシャーシを支点とする１対のシャフトで構成される動物捕獲装置である。【０００５】また、上記構成において、踏み板の重量と均衡を保たせるため、支え枠の他端から連結ピンを介して踏み板を水平に保持する引張りコイルばね付きワイヤのばね定数を変えることで、捕獲する獣類の下限重量をコントロールできる構造となる。
【発明の効果】
【０００６】檻の正面には踏み板高さが床面から最大４ｃｍのため、土等でカモフラージュさせることが容易となり獣の視野から障害物が見えず獣が警戒せずに檻に進入させることができる。また、踏み板の踏み込み動作加重をばね定数の異なるばねに変えることで自由に設定でき、対象獣類の下限重量を設定することで、捕獲しようとする獣以外の子猪等の捕獲を回避できる。【０００７】既存の檻に本発明の仕掛け部分を設置することで安価に提供できる。
【発明を実施するための最良の形態】
【０００８】本発明の実施の形態を図で説明する。図１は本発明の動物捕獲装置の全体斜視図、図２は本発明の動物捕獲装置の構成要素のひとつである踏み板ユニット２の正面図、図３は踏み板ユニット２の平面図、図４は踏み板ユニット２の右側面図である。踏み板ユニット２は支え枠２ｂと踏み板２ａと踏み板シャーシ２ｄと引張りコイルばね付きワイヤ２ｆとキーピン引き外しワイヤ２ｅから構成される。踏み板ユニット２の床面からの高さは４ｃｍを限度することで、土、木の葉等によるカモフラージュが簡単にできるため捕獲獣類の警戒心をなくすことができる。踏み板２ａは捕獲獣類が踏み込むことで押し下げられキーピン引き外しワイヤ２ｅを介して、図５の扉固定シャフト開放状態保持ユニット３のキーピン３ａを引き下げ、扉の閉鎖へのトリガーとなる。踏み板２ａが下方へ押し下げられるか否かは捕獲獣類が加える重量で決まるが、踏み板２ａが作動する力は引張りコイルばね付きワイヤ２ｆのばね定数で決まるため捕獲獣類にあわせたばねを決定することで捕獲対象の重量を事由に設定できる。【０００９】図５は本発明の動物捕獲装置の２つ目の構成要素である扉固定シャフト開放状態保持ユニット３の分解組立図である。扉固定シャフト開放状態保持ユニット３は扉閉鎖のトリガーとなるキーピン３ａとキー溝をもつ１対のシャフト押さえ板３ｄとキー溝をもつ扉固定シャフト開放状態保持シャーシ３ｅで構成される。【００１０】図６は扉の開放状態を保持している１対の扉固定シャフト開放状態保持ユニット３の一方の分解組立図である。扉固定シャフト開放状態保持ユニット３は檻を構成する横方向の鉄筋を利用して開放状態を支えるストッパー３ｆを備えたシャフト３ｂとシャフト３ｂを固定するシャフト支えシャーシ３ｃとシャフト支えシャーシ３ｃとシャフト３ｂを引張り合う形で連結させるシャフト引張りコイルばね３ｇで構成される。シャフト引張りコイルばね３ｇは扉が開放状態時には、ばねは引張られた状態で、扉が閉じた状態時では圧縮された状態となる。
【実施例】
【００１１】図１に本発明の実施例の斜視図を示す。図１のおとり餌１ｂにおびき出された獣類が踏み板２ａを踏むと、その重量で下方へ約１ｃｍ下がる。下がった距離だけ支え枠２ｂが下がり、キーピン引き外しワイヤ２ｅで連結した扉固定シャフト開放状態保持ユニット３のキーピン３ａをキー溝から引き外す。キーピン３ａがキー溝から抜かれるとシャフト押さえ板３ｄに働いていた下方への応力が開放され、１対のシャフト３ｂが水平状態から一気に上方へ動き、シャフト支えシャーシ３ｃを支点にして、檻の横鉄筋を支えていたストッパー３ｆが下がり、両進入口の檻の扉が下降を始め捕獲獣類を檻に閉じ込める。
【産業上の利用可能性】
【図面の簡単な説明】
【図１】本発明の斜視図
【図２】踏み板ユニットの正面図
【図３】踏み板ユニットの平面図
【図４】踏み板ユニットの右側面
【図５】扉固定シャフト開放状態保持ユニットの分解組立図
【図６】１対の扉固定シャフトユニットの一方の分解組立図
【符号の説明】
１    檻
１ａ  扉
１ｂ  おとり餌
２    踏み板ユニット
２ａ  踏み板
２ｂ  支え枠
２ｃ  連結ピン
２ｄ  踏み板シャーシ
２ｅ  キーピン引き外しワイヤ
２ｆ  引張コイルばね付ワイヤ
３    扉固定シャフト開放状態保持ユニット
３ａ  キーピン
３ｂ  シャフト
３ｃ  シャフト支えシャーシ
３ｄ  シャフト押さえ板
３ｅ  扉固定シャフト開放状態保持シャーシ
３ｆ  ストッパー
３ｇ  シャフト引張りコイルばね
【図１】
2007037524.tif 000003
【図２】
2007037524.tif 000004
【図３】
2007037524.tif 000005
【図４】
2007037524.tif 000006
【図５】
2007037524.tif 000007
【図６】
2007037524.tif 000008